(57)【特許請求の範囲】
【請求項１】
ケース内に、カメラ、マイク、スピーカ等を収容し、ケース背部に前記カメラの角度を変更操作するための操作レバーを備えたインターホン機器において、
前記ケースは、前記カメラの撮像窓を備えたケース上と、前記操作レバーを備えたケース下とを備えて、前記カメラが、前記ケース上及び前記ケース下により挟持されて保持されるカメラユニットに組み込まれ、
前記カメラユニットが、撮像回路が組み付けられたカメラ基板を、レンズや撮像素子を組み付けたカメラ部と、前記操作レバーを備えた背部支持部材とで挟持して構成され、
前記カメラ部の周囲と前記背部支持部材の前記操作レバー形成部周囲とは同一の中心を有する同一或いは異なる球体の一部から成る球面を備える一方、前記ケース上に前記カメラ部の球面に係合する前方保持部を設け、前記ケース下に前記背部支持部材の球面に係合する後方保持部を設け、
前記背部支持部材は、前記カメラ基板上に起立するように当接する脚片を備えたマウント部材と、前記操作レバーを備えた操作レバー支持部材とから成り、前記脚片を介して前記カメラ基板裏面に配置され、
前記マウント部材及び前記操作レバー支持部材の互いの当接面には、互いに係合する複数のリブを備えて、
前記操作レバーによりパン操作あるいはチルト操作されると、前記カメラユニットが回動してパン動作あるいはチルト動作することを特徴とするインターホン機器。
【請求項２】
前記背部支持部材は、前記マウント部材と前記操作レバー支持部材との間に、両者の間に発生する隙間を吸収する軟質樹脂から成る干渉部材を備えたことを特徴とする請求項１記載のインターホン機器。
【請求項３】
前記ケース下には、前記操作レバーを挿通して後方からパン／チルト操作するための操作孔が開口形成され、
前記操作孔の周囲が前記カメラユニットの前記後方保持部を構成し、前記背部支持部材に形成された前記球面と、前記後方保持部との間に、パン／チルト操作した前記カメラに対して特定の複数の角度で前記カメラを固定するための凹凸部を設けたことを特徴とする請求項１又は２に記載のインターホン機器。
【発明の詳細な説明】
【技術分野】
【０００１】
本発明はカメラを備えたインターホン機器に関し、詳しくはカメラの撮像方向を変更する機構を備えたインターホン機器に関する。
【背景技術】
【０００２】
従来のカメラを備えたインターホン機器の１つである玄関子機には、設置する玄関のレイアウト或いは設置場所によっては来訪者を良好に捉えられない場合があるため、設置する際にカメラの撮像方向を調整できる機構を備えたものがある。
例えば、特許文献１に記載の玄関子機では、カメラを組み込んだカメラユニットに左右に延びたフランジを設け、このフランジに回転軸を配置してカメラのチルト動作を可能とし、玄関子機ケースの背面に設けた摘み部を操作してカメラの撮像方向を上下に変更可能としている。
【先行技術文献】
【特許文献】
【０００３】
【特許文献１】特開２００８−２０５９３４号公報
【発明の概要】
【発明が解決しようとする課題】
【０００４】
しかしながら、上記特許文献１に記載された玄関子機は横方向に移動させるパン操作ができないため、設置する場所によってはチルト操作だけではカメラが来訪者を良好に撮像できない場合があった。
そのため、パン操作も可能に構成すれば良いが、上記特許文献１に記載されたチルト機構のように、チルト可能な構成とするだけでも機器ケース内の広いスペースを使用しているのに加え、パン操作機能を加えようとするとパン／チルト機構部が占有するスペースが大きくなり、玄関子機ケースが大型化してしまうし、複雑な機構になるためコストアップを招いてしまう。
【０００５】
そこで、本発明はこのような問題点に鑑み、機器ケース内の広いスペースを使用することなく、ケースの背部に設けた操作部によりカメラのパン／チルト操作が可能なインターホン機器を提供することを目的としている。
【課題を解決するための手段】
【０００６】
上記課題を解決する為に、請求項１の発明は、ケース内に、カメラ、マイク、スピーカ等を収容し、ケース背部にカメラの角度を変更操作するための操作レバーを備えたインターホン機器において、ケースは、カメラの撮像窓を備えたケース上と、操作レバーを備えたケース下とを備えて、カメラが、ケース上及びケース下により挟持されて保持されるカメラユニットに組み込まれ、カメラユニットが、撮像回路が組み付けられたカメラ基板を、レンズや撮像素子を組み付けたカメラ部と、操作レバーを備えた背部支持部材とで挟持して構成され、カメラ部の周囲と背部支持部材の操作レバー形成部周囲とは同一の中心を有する同一或いは異なる球体の一部から成る球面を備える一方、ケース上にカメラ部の球面に係合する前方保持部を設け、ケース下に背部支持部材の球面に係合する後方保持部を設け、背部支持部材は、カメラ基板上に起立するように当接する脚片を備えたマウント部材と、操作レバーを備えた操作レバー支持部材とから成り、脚片を介してカメラ基板裏面に配置され、マウント部材及び操作レバー支持部材の互いの当接面には、互いに係合する複数のリブを備えて、操作レバーによりパン操作あるいはチルト操作されると、カメラユニットが回動してパン動作あるいはチルト動作することを特徴とする。
この構成によれば、チルト操作に加えてパン操作を行うこともできるため、インターホン機器の設置環境に依らず、来訪者等撮像対象を確実に撮像することが可能となる。
そして、カメラを組み込んだカメラユニットは、ケース上とケース下とで挟持されてパン／チルト動作するので、回転軸を必要とせず、パン／チルト機構を小さなスペースの中で構成することができる。
また、回路素子が組み付けられた部位であっても、脚片をカメラ基板上の素子の隙間に合わせて配置すれば、回路素子上に背部支持部材を配置することができる。そのため、カメラ基板に背部支持部材専用のスペースを別途設ける必要がなく、カメラ基板を小型にできる。
更に、背部支持部材を分割して構成することで、両者の間の干渉作用によりケース形状のばらつきやカメラユニット構成部材の形状ばらつきを吸収して、ケース上とケース下によるカメラユニット挟持動作を維持させることができるし、複数のリブによりマウント部材と操作レバー支持部材の間でズレが発生することがない。
【０００９】
請求項２の発明は、請求項１に記載の構成において、背部支持部材は、マウント部材と操作レバー支持部材との間に、両者の間に発生する隙間を吸収する軟質樹脂から成る干渉部材を備えたことを特徴とする。
この構成によれば、干渉部材が、マウント部材と操作レバー支持部材の間に発生する隙間を吸収し、ガタツキの発生を無くしてスムーズなパン／チルト動作を実施できる。
【００１０】
請求項３の発明は、請求項１又は２に記載の構成において、ケース下には、操作レバーを挿通して後方からパン／チルト操作するための操作孔が開口形成され、操作孔の周囲がカメラユニットの後方保持部を構成し、背部支持部材に形成された球面と、後方保持部との間に、パン／チルト操作したカメラに対して特定の複数の角度でカメラを固定するための凹凸部を設けたことを特徴とする。
この構成によれば、パン／チルトした状態が固定されるので、最初に設定したカメラの角度が自然に変化してしまうことが無く、良好な撮像を継続できる。
【発明の効果】
【００１１】
本発明によれば、チルト操作に加えてパン操作を行うこともでき、インターホン機器の設置環境に依らず、来訪者等撮像対象を確実に撮像することが可能となる。そして、カメラを組み付けたカメラユニットは、ケースを構成するケース上とケース下とで挟持されて保持されるので、回転軸を必要とせず、パン／チルト機構を小さなスペースの中で構成することができる。
【図面の簡単な説明】
【００１２】
【図１】本発明に係るインターホン機器の斜視図を示し、（ａ）は前方から見た斜視図、（ｂ）は後方から見た斜視図である。
【図２】カメラユニットの斜視図である。
【図３】カメラユニットの背部支持部材分解図である。
【図４】マウント部材の基板当接面側の構造を示す斜視図である。
【図５】操作レバー支持部材を示し、（ａ）は側面図、（ｂ）は底部構造を示す斜視図である。
【図６】ケース上の内面形状を示す部分斜視図である。
【図７】ケース下の内面形状を示す部分斜視図である。
【図８】図７の後方保持部の拡大図である。
【図９】（ａ）は図７のＡ−Ａ矢視断面図、（ｂ）はＢ部拡大図である。
【発明を実施するための形態】
【００１３】
以下、本発明を具体化した実施の形態を、図面に基づいて詳細に説明する。図１は本発明に係るインターホン機器である玄関子機を示し、（ａ）は斜め前方から見た斜視図、（ｂ）は斜め後方から見た斜視図である。この玄関子機のケース１は、背部が開放されたケース上１ａと、この開放された背部を閉塞するケース下１ｂとで構成され、ケース上１ａには、内部に設けたカメラにより来訪者を撮像するための撮像窓２、収納されたスピーカが報音するための複数の報音孔３ａを設けたスピーカ部３、マイクを収納して集音孔４ａを設けたマイク部４、居住者を呼び出すための呼出ボタン５、夜間に撮像するための照明部６等を備えている。
一方、ケース下１ｂにはカメラをパン／チルト操作するための操作孔８が形成され、ケース内からパン／チルト操作する棒状の操作レバー９が突出している。
【００１４】
図２はカメラを組み込んだカメラユニット１１の斜視図を示している。カメラユニット１１は、撮像回路が組み付けられたカメラ基板１２の前面に、図示しない撮像素子やレンズ１０を備えたカメラ部１３が組み付けられ、背面には操作レバー９を備えた背部支持部材１４が組み付けられて構成されている。
【００１５】
カメラ部１３は、カメラ基板１２上に配置されて撮像素子を収容した筒状のフランジ１３ａと、このフランジ１３ａの前面に配置されたレンズの周囲を覆うレンズ枠１３ｂとで構成され、レンズ枠１３ｂの周囲は球体の一部から成る球面で形成されている。
【００１６】
背部支持部材１４は図３の分解斜視図に示すように構成され、カメラ基板１２上に配置するマウント部材１６と、操作レバー９が形成された操作レバー支持部材１７と、干渉部材としてのパッキン１８とから構成されている。
マウント部材１６は略板状に形成され、カメラ基板１２に面する下面は図４に示すように形成されている。図４はマウント部材１６の下面の斜視図を示し、カメラ基板１２に設けられた一対の係合凸部１２ａ（図３に示す）を挿入して係合させる一対の筒状片１６ａと、カメラ基板１２に当接させて安定させるための脚片１６ｂが形成され、この脚片１６ｂは中央と周囲４箇所の計５箇所に設けられている。
また上面には、図３に示すように操作レバー支持部材１７と係合するためのリブ２０が複数形成されている。具体的に、中央には操作レバー支持部材１７を位置決めするために十字状の切り込みが形成されて４分割された位置決めリブ２０ａが形成され、その周囲となる四方に操作レバー支持部材１７を固定するための固定リブ２０ｂが対を成して形成されている。
【００１７】
操作レバー支持部材１７は、図５に示すような略円盤体形状を有している。図５（ａ）は側面図、図５（ｂ）は底面側斜視図を示し、表面が球体の一部を成す曲面で形成され、操作レバー９がその中央に形成されている。そして、裏面にはマウント部材１６のリブ２０に係合する複数のリブ２１が形成されている。具体的に、マウント部材１６に形成された位置決めリブ２０ａに係合する十字状リブ２１ａが形成され、その周囲に固定リブ２０ｂに係合する環状リブ２１ｂが形成されている。また、球面上には、操作レバー９を中心とした４箇所にパン／チルト操作した状態を固定するための凸部２２が形成されている。
【００１８】
また、パッキン１８は合成樹脂製のスポンジで形成され、リブ２０，２１の周囲を覆うようリング状に形成されている。このパッキン１８は、カメラユニット１１を形成してケース１に収容された状態では常時圧縮された状態となる。
【００１９】
以上のように構成された背部支持部材１４は、パッキン１８を介して、マウント部材１６の位置決めリブ２０ａに操作レバー支持部材１７の十字状リブ２１ａを嵌め合わせ、且つ固定リブ２０ｂに環状リブ２１ｂを嵌め合わせることで、マウント部材１６に操作レバー支持部材１７が組み付けられる。その結果、パン／チルト操作のため操作レバー９を上下左右に動かした場合であっても、背部支持部材１４にズレが発生すること無く、またがたつきなく動作させることができる。
【００２０】
こうして形成されたレンズ枠１３ｂと操作レバー支持部材１７は、双方に形成された球面の曲率は異なるが、カメラ基板１２に組み付けてカメラユニット１１を形成した状態で、曲面の中心が一致するよう構成され、図５（ａ）に示すＭがこの中心を示している。
そして、図６のケース上１ａの内面形状を示す部分斜視図に示すように、ケース上１ａの撮像窓２には、レンズ枠１３ｂの球面に当接してカメラユニット１１の前方を保持する前方保持部２３がリング状に形成されている。この前方保持部２３は、レンズ枠１３ｂの球面と同一の曲率を有する球面を有し、当接したレンズ枠１３ｂがその曲率中心を移動させることなく滑らかに摺動するよう形成されている。
【００２１】
一方、ケース下１ｂには、図７のケース下１ｂの内面形状を示す部分斜視図に示すように、ケース下１ｂの操作孔８を中心とした部位には、操作レバー支持部材１７に当接してカメラユニット１１の後方を保持する後方保持部２４が円盤状に形成されている。図８はこの後方保持部２４の拡大図を示している。
後方保持部２４に形成された球面は、操作レバー支持部材１７に形成された球面と同一の曲率で形成され、当接した操作レバー支持部材１７がその曲率中心を移動することなく滑らかに摺動するよう形成されている。そして、操作孔８は横方向と縦方向の長孔を交差させた十字状を成し、パン操作とチルト操作を可能としている。
【００２２】
また、後方保持部２４内の操作孔８の周囲には複数の凹部２６が形成されている。この凹部２６は、操作レバー支持部材１７に設けられた凸部２２が係合するよう形成され、図９の断面図に示すように一定の間隔で形成されている。図９（ａ）は図７のＡ−Ａ線矢視断面図を示し、図９（ｂ）はＢ部拡大図を示している。
詳しくは、操作レバー支持部材１７に形成された凸部２２が、図５（ａ）に示すように曲率中心Ｍに対して１６度の角度を設けて形成されており、この角度に合わせて最も中央寄りの４個の凹部２６（２６ａ，２６ａ，２６ｂ，２６ｂ）も曲率中心Ｍに対して１６度の角度を有する部位に形成されている。
そして、その他周囲の凹部２６は操作孔８に沿って上下左右に夫々２対ずつ形成され、隣接する凹部２６に対して８度の角度を設けて形成されている。こうしてパン／チルト共に、正面方向に対して８度、１６度と２段階で角度変更ができ、その角度を固定できるよう構成されている。
【００２３】
上記の如く構成したインターホン機器は、カメラユニット１１がケース１内に収納されると、ケース上１ａとケース下１ｂとで挟持され、操作レバー９が操作孔８からケース１の背面に突出する。そして、操作レバー９が操作孔８の中心にある場合には、複数の凹部２６のうち最も中央寄りの４箇所の凹部２６（２６ａ，２６ａ，２６ｂ，２６ｂ）に４個の凸部２２が夫々係合しカメラの角度がほぼ正面で固定される。
【００２４】
そして、カメラを上方を向ける操作（チルト操作）が成されると、操作レバー９が下に移動操作される。すると、下側中央寄りの凹部２６ｂに係合していた凸部２２が直下の２凹部２６ｃに移動して係合する。また、この時上側中央寄りの凹部２６ａに係合していた凸部２２は操作孔８に露出した状態となる。
この一段階の変更でチルト角度が８度上方に変更される。同様に、操作レバー９を更に下に移動すると、２段階の変更が成されてチルト角度が１６度上方に変更されて固定される。そして、カメラを下に向けた場合は、この逆の操作が行われる。
また、パン操作は、操作レバー９を操作孔８の中央に配置した状態から左右に移動することで実施される。この操作で、チルト操作の場合と同様に、１段階で８度のパン操作を実施できるし、２段階の操作で１６度のパン操作を行うことができる。
【００２５】
このように、チルト操作に加えてパン操作を行うこともできるため、インターホン機器の設置環境に依らず、来訪者等撮像対象を確実に撮像することが可能となる。そして、カメラを組み付けたカメラユニット１１は、ケース１を構成するケース上１ａとケース下１ｂとで挟持されてパン／チルト動作するので、回転軸を必要とせず、パン／チルト機構を小さなスペースの中で構成することができる。
また、背部支持部材１４に脚片１６ｂを設けることで、回路素子が組み付けられた部位であっても、脚片１６ｂをカメラ基板１２上の素子の隙間に合わせて配置すれば、回路素子上に背部支持部材１４を配置することができ、カメラ基板１２に背部支持部材１４専用のスペースを別途設ける必要がなく、カメラ基板１２を小型にできる。
更に、背部支持部材１４をマウント部材１６と操作レバー支持部材１７に分離して構成することで、両者の間の干渉作用によりケース形状のばらつきやカメラユニット構成部材の形状ばらつきを吸収して、ケース１によるカメラユニット挟持動作を維持させることができる。そして、干渉部材としてのパッキン１８が、マウント部材１６と操作レバー支持部材１７の間に発生する隙間を吸収するので、ガタツキの発生を無くしてスムーズなパン／チルト動作を実施できる。
また、操作レバー支持部材１７と後方保持部２４の間で形成した凸部２２，凹部２６により、パン／チルトした状態が固定されるので、最初に設定したカメラの角度が自然に変化してしまうことが無く、良好な撮像を継続できる。
【００２６】
尚、上記実施形態では、８度刻みでパン／チルト状態を固定できる構成としたが、更に細かい角度、例えば半分の４度刻みとしても良い。また、パンとチルトとで固定する角度を同一の角度としたが、パンとチルトで異なる角度としても良い。
また、玄関子機を例に説明したが、カメラを備えたインターホン機器に対して上記構成を適用することで、簡易な構成でカメラのパンチルト操作を行うことができる。
また、レンズ枠１３ｂの周囲に形成した球面と操作レバー支持部材１７に形成した球面とを異なる径としたが同一の径であっても良い。
【符号の説明】
【００２７】
１・・ケース、１ａ・・ケース上、１ｂ・・ケース下、２・・撮像窓、８・・操作孔、９・・操作レバー、１０・・レンズ、１１・・カメラユニット、１２・・カメラ基板、１３・・カメラ部、１３ｂ・・レンズ枠、１４・・背部支持部材、１６・・マウント部材、１６ｂ・・脚片、１７・・操作レバー支持部材、１８・・パッキン、２０（２０ａ，２０ｂ）・・リブ、２１（２１ａ，２１ｂ）・・リブ、２２・・凸部、２３・・前方保持部、２４・・後方保持部、２６・・凹部。
【図１】
0005415870.tif 000002
【図２】
0005415870.tif 000003
【図３】
0005415870.tif 000004
【図４】
0005415870.tif 000005
【図５】
0005415870.tif 000006
【図６】
0005415870.tif 000007
【図７】
0005415870.tif 000008
【図８】
0005415870.tif 000009
【図９】
0005415870.tif 000010